(57)【特許請求の範囲】
【請求項１】
支柱に覆われる固定部と、該固定部と連続し、躯体に埋め込むための埋め込み部と、からなる埋め込み金具において、
前記固定部内には、前記固定部の長手方向に沿って、前記固定部とは独立して移動可能に設けられた調整板と、
該調整板を前記固定部内で前記固定部の長手方向に移動可能及び挿入可能にして、前記固定部の長手方向に沿って設けられたスライド部と、を備えることを特徴とする埋め込み金具。
【請求項２】
前記スライド部には、前記固定部の長手方向に沿って、前記スライド部に対向し、前記スライド部につながる開口した溝部が形成されていることを特徴とする請求項１に記載の埋め込み金具。
【請求項３】
前記支柱と前記調整板とが固定具により連結されて、前記支柱の内側面が、開口した前記溝部がある前記固定部の面部に沿って移動し、前記調整板が前記スライド部内の開口した前記溝部側の側面に沿って移動することを特徴とする請求項１又は２に記載の埋め込み金具。
【発明の詳細な説明】
【技術分野】
【０００１】
本発明は、マンションやビルの屋上やバルコニーに取り付ける手摺が傾くことなく水平方向に一直線に延びるように調整することが可能な埋め込み金具に関する。
【背景技術】
【０００２】
図１１に手摺支柱３００の固定構造を示す。手摺６００は支柱ホルダー１００にその手摺支柱３００を締着固定することによって躯体５００上に設置したものである。図１１では、支柱ホルダー１００は、手摺支柱３００を躯体５００長手方向両側において対接状に対面支持する躯体５００交差方向一対の対面支持壁１３０を起立具備し、これら対面支持壁１３０間を躯体５００の交差方向に開放する受入溝１４０とした、例えば断面Ｕ字状に厚肉の押出成形材を加工したアルミ製又はアルミを鋳造したアルミ鋳物製のものとして構成せしめてある。
【０００３】
これに対して手摺支柱３００は、支柱ホルダー１００の上記受入溝１４０間隔に相応し、上記対面支持壁１３０との一対の対面壁３１０を備えた、例えば断面方形乃至矩形状中空に、押出成形材を加工したアルミ製のものとしてある。
【０００４】
手摺支柱３００の支柱ホルダー１００への上記締着固定は、手摺支柱３００の上記各対面壁３１０と支柱ホルダー１００における一対の対面支持壁１３０間にそれぞれ上下方向及び躯体交差方向を対とする長孔対４００を介して手摺支柱３００を支柱ホルダー１００に対して上下動調整及び躯体交差方向傾斜動調整自在に行ったものとしてある。
【０００５】
本例においてこれらの長孔対４００は、上下方向の垂直長孔４１０と、躯体５００交差方向の水平長孔４２０とを対とし、垂直長孔４１０を手摺支柱３００の対面壁３１０に、水平長孔４２０を支柱ホルダー１００の対面支持壁１３０に配置するとともに、各対面壁１３０間にはこの長孔対４００を上下一対配設したものである。
【０００６】
この長孔対４００を用いた締着固定は、支柱ホルダー１００の受入溝１４０に、対面壁３１０が対面支持壁１３０に対接状に対面するように手摺支柱３００の下端を挿入し、上下それぞれの長孔対４００間に貫通ボルト４３０を挿通させ、一側の対面支持壁１３０側においてナット４４０による緊締を行うことによって行うものとしてある。
【０００７】
このとき長孔対４００の垂直長孔４１０と水平長孔４２０とは、その交差位置において貫通ボルト４３０を挿通し得るから、これらが交差する限りにおいて手摺支柱３００は支柱ホルダー１００を基準として調整自在となる。
【０００８】
即ち手摺支柱３００は上下方向の垂直長孔４１０により、その長さの範囲内で上下に向けて延長するように上下動調整自在となり、また躯体５００交差方向の水平長孔４２０により、その長さの範囲で躯体５００交差方向傾斜動調整自在となるに至る（特許文献１）。
【特許文献１】特開平６−１４６５２３（段落０００９から段落００１６  図２）
【発明の開示】
【発明が解決しようとする課題】
【０００９】
しかしながら、図１１に示す手摺支柱３００の固定構造では、垂直長孔４１０と水平長孔４２０とを交差位置において貫通ボルト４３０を挿通し、ナット４４０により緊締を行っているため、長孔（垂直長孔４１０、水平長孔４２０）の長手方向全体を貫通ボルト４３０及びナット４４０により覆うことはできず、長孔（垂直長孔４１０、水平長孔４２０）より雨水等が入り込み易い。特に、図１１に示す手摺支柱３００の固定構造では、手摺支柱３００にも垂直長孔４１０が設け（配置）られているため手摺支柱３００から躯体５００へ雨水等が侵入する可能性が高くなり、躯体５００の劣化を招き易くなる。
【００１０】
また、上下動調整し得る範囲が長孔の長手方向の長さに限定されるため、手摺支柱３００が取り付けられるマンションやビルの屋上やバルコニーである躯体５００の状況、特に改修工事を施す場合の躯体５００では、新築工事に比べて傾斜、波打ちといった状況がはげしくなっていることが多く、上下動の調整も長孔の長手方向の長さ程度の微調整で対応できないことも多い。
【００１１】
さらに、手摺支柱３００及び支柱ホルダー１００を基準として上下動の調整をするために、支柱ホルダー１００だけではなく手摺支柱３００にも長孔（水平長孔４２０）を設けなければならず、手摺支柱３００の製作工程の煩雑化を招くことになる。
【００１２】
本発明は上記の事情に鑑みなされたものであり、支柱に長孔を設けることなく、既存の部材を用いた簡易な機構で支柱（或いは笠木）の端部の水平方向の調整を容易に行うことが可能な埋め込み金具を提供することを目的とする。
【課題を解決するための手段】
【００１３】
上記の目的を達成するために、請求項１に記載の発明は、支柱に覆われる固定部と、該固定部と連続し、躯体に埋め込むための埋め込み部と、からなる埋め込み金具において、前記固定部内には、前記固定部の長手方向に沿って、前記固定部とは独立して移動可能に設けられた調整板と、該調整板を前記固定部内で前記固定部の長手方向に移動可能及び挿入可能にして、前記固定部の長手方向に沿って設けられたスライド部と、を備えることを特徴とする。
【００１４】
従って、請求項１に記載の発明によれば、埋め込み金具の埋め込み部が躯体に埋め込まれ、埋め込み金具の固定部内の長手方向に沿って設けられたスライド部に挿入された調整板が、固定部とは独立して、固定部の長手方向に沿った設けられたスライド部を移動することが可能になる。
【００１５】
さらに、請求項２に記載の発明は、請求項１に記載の構成に加え、前記スライド部には、前記固定部の長手方向に沿って、前記スライド部に対向し、前記スライド部につながる開口した溝部が形成されていることを特徴とする
【００１６】
従って、請求項２に記載の発明によれば、固定部の長手方向に沿って、スライド部に対向し、スライド部につながる開口した溝部である開口部が形成されているため、固定部を覆う支柱の外側面から挿通された仮止め用の固定具とスライド部に挿入された調整板とを連結することが可能になる。
【００１７】
また、請求項３に記載の発明は、請求項１又は２に記載の構成に加え、前記支柱と前記調整板とが固定具により連結されて、前記支柱の内側面が、開口した前記溝部がある前記固定部の面部に沿って移動し、前記調整板が前記スライド部内の開口した前記溝部側の側面に沿って移動することを特徴とする。
【００１８】
従って、請求項３に記載の発明によれば、支柱の内側面を開口した溝部がある固定部の面部に沿って移動させ、調整板をスライド部内の溝部側の側面に沿って移動させることで、連結された支柱と調整板とをスライド部に沿って移動させて、埋め込み金具の固定部を覆う支柱の位置決めを行い、バルコニーのフロアラインから手摺の高さを調整することを可能にする。
【発明の効果】
【００１９】
本発明によれば、支柱と調整板とを固定具であるねじ、ボルト等で連結することにより埋め込み金具の固定部のスライド部を移動して、固定部の任意の位置に支柱を固定するという機構であるため、支柱に長孔等を必要とせずに手摺の水平方向の調整を容易に行うことができる。本発明では、固定部の長手方向にわたってスライド部が設けられているため、例えば改修工事等に際し、躯体であるマンションやビルの屋上やバルコニーが若干傾斜していたり、多少波打ち（凹凸）状になっていたりしても手摺の水平方向の調整を行うことができる。
【００２０】
また、支柱には、仮固定用の孔部と固定用の孔部が設けられているが、埋め込み金具の固定部への固定に際して、全ての孔部には固定具であるねじ、ボルト等が螺合される（組み込まれる）ため、支柱から外部に開いた部分がなくなり、外部からの雨水等の侵入を防ぐことができる。
【００２１】
さらに、手摺の高さの調整後に発生する支柱の端部と躯体との隙間をカバーで覆うことで、手摺から躯体への雨水等の侵入を防ぐことができるとともに、手摺全体の外観上の見栄えの向上を図ることができる。
【発明を実施するための最良の形態】
【００２２】
以下、本発明を実施するための最良の形態について図面を参照して説明する。
【００２３】
図１には、本発明である埋め込み金具１が示されている。埋め込み金具１は、図１（ａ）に示すように、固定部２と埋め込み部３とから構成されている。この固定部２は、支柱２５に挿入され、支柱２５に覆われることになり、埋め込み部３はマンションやビルの屋上やバルコニーである躯体５０に埋め込むことになる。固定部２の一方の端部２ａは、開口しており、固定部２の他方の端部２ｂは、底板４が設けられて閉じており、その底板４に埋め込み部３が続いている。本例に示す埋め込み金具１は、固定部２が角柱の形状である四角柱の形状をなしており、埋め込み部３が円柱の形状をなしている。
【００２４】
ただし、このような形状に限定されることなく、固定部２、埋め込み部３ともに、角柱の形状にすることも可能である。さらに、本例の埋め込み金具１は、一般的な埋め込み金具と同様に、固定部２の断面が埋め込み部３の断面より大きくなっているが、逆に埋め込み部３の断面が固定部２の断面より大きくすることも可能である。
【００２５】
固定部２内には、図１（ｂ）に示すように、スライド部５、中空部７が形成されている。図１（ｂ）に示すように、板状部材９が固定部２の長手方向に沿って延びることでスライド部５、中空部７を仕切って形成している。つまり、スライド部５、中空部７は、固定部２の長手方向に沿って、固定部２の一方の端部２ａから他方の端部（底板４）２ｂ側まで形成されている。
【００２６】
スライド部５は、固定部２内で板状部材である調整板１２を固定部２の長手方向に移動可能及び挿入可能にして、固定部２の長手方向に沿って設けられており、図１（ｂ）に示すように、固定部２内で固定部２の縁側に形成されている。具体的には、スライド部５は、四角柱の四面のうちの一つの面部、本例では面部６と平行になるように形成されている。固定部２内では、面部８から板状部材９の板状部分９ａが面部６と平行に延びた後に、板状部材９の板状部分９ａに連続して板状部材９の板状部分９ｂが略コ字状の形状になっている。
【００２７】
このように、面部８から板状部材９の板状部分９ａが面部６と平行に延びることで、スライド部５に板状部材である調整板１２を挿入した場合に、調整板１２を保持することが可能になるとともに、調整板１２は固定部２の長手方向に沿って、固定部２とは独立して移動可能になっている。また、板状部材９の板状部分９ａに連続して板状部材９の板状部分９ｂが略コ字状の形状になって、板状部材９が連続した状態で面部８、８間に設けられることで固定部２の強度を確保することが可能になっている。
【００２８】
本例では、この略コ字状の角度αが９０゜より大きく設定してあるが、これは板状部材９の近傍に配置される他の部材との関係で決定されるものである。例えば、本例では、調整板１２を連結する仮止め用の固定具がスライド部５を横断した際に仮止め用の固定具の先端が板状部材９に接触せずに逃げられるように、略コ字状の角度αが９０゜より大きく設定してある。このように板状部材９の近傍に配置される他の部材との関係で略コ字状の角度αが９０゜より大きく設定したり、或いは略コ字状の角度αを９０゜に近く設定したりすることも可能である。また、板状部分９ｂである略コ字状を設けずに面部８と平行に板状部分９ａを設けるだけでスライド部５を形成することも可能である。
【００２９】
また、スライド部５を形成する面部６の中央は、図１（ｂ）に示すように、固定部２の長手方向に沿って、固定部２より隆起した突出部６ａを備えており、その突出部６ａには、スライド部５に対向し、スライド部５につながる開口した溝部である開口部２ｃが形成されている。開口部２ｃは固定部２の一方の端部２ａから他方の端部２ｂまで固定部２の長手方向にわたって形成されている。また、固定部２及び固定部２を覆う支柱の形状等の事情によっては、突出部６ａを必要としない場合もあり、その場合には面部６上に開口した溝部である開口部２ｃを形成することになる。
【００３０】
以上のように、スライド部５は、固定部２の長手方向に沿って固定部２から開口するところまで及んでいる。具体的には、スライド部５は、固定部２内で固定部２の長手方向に沿う開口部２ｃ側の側面６ｂと板状部材９の板状部分９ａ、９ｂで囲まれる部分のみならず、開口した溝部である、突出部６ａの開口部２ｃの端面６ｃまで及んでいる。
【００３１】
中空部７は、図１（ｂ）に示すように、面部８、８、１０及び板状部材９によって囲まれ、固定部２の長手方向に沿って底板４まで形成されている。このように、中空部７は、固定部２内で、固定部２の長手方向から外部に開いた開口がない閉じた空間となっている。
【００３２】
固定部２の他方の端部２ｂに設けられた埋め込み部３は、固定部２の長さより短く設定されているが、特に、固定部２の長さに対して埋め込み部３の長さが限定されるものではなく、躯体５０の状況や固定部２に取り付けられる支柱２５の長さ等を考慮して埋め込み部３の長さが決定されることになる。
【００３３】
つぎに、スライド部５に挿入される調整板１２について説明する。調整板１２は、図２に示すように、矩形形状で、スライド部５の長手方向内を移動できるような均一の厚みとなっている。また、本例で用いている調整板１２は、ステンレス製であるが、鉄製等であってもよい。さらに、調整板１２は、スライド部５に挿入されて入り込むことが可能であればよく、調整板１２の長さはスライド部５の長さより短く設定されている。また、調整板１２には、調整板１２をスライド部５に挿入したときに、開口部２ｃに対応する位置に、少なくとも一箇所、本例では、二箇所に孔部１４を設けている。
【００３４】
この孔部１４は、固定具と固定する機構が設けられており、仮止め用の固定具であるねじ１６と螺合することが可能になっている。具体的には、その孔部１４はねじ１６と螺合することが可能なねじ溝を設けた機構になっている。ただし、固定具はねじ１６に限定されることなく、例えば、ボルトとすることも可能であり、その場合には、固定具と固定する機構がナットとなり、そのナットを調整板１２に取り付けることになる。
【００３５】
そして、固定部２の一方の端部２ａの開口よりスライド部５に調整板１２を挿入すると、図３（ａ）に示すように、開口部２ｃと調整板１２に設けた孔部１４が対応することになる。つまり、固定具であるねじ１６が支柱２５の外側面から挿通され、スライド部５を横断して孔部１４と螺合することが可能になっている。以上が埋め込み金具１の固定部２の構成である。
【００３６】
つぎに、この埋め込み金具１を用いてマンションやビルの屋上やバルコニーである躯体５０に手摺２０を取り付ける例について説明する。
【００３７】
図４には、埋め込み金具１を用いた手摺２０が示してある。支柱２５には、埋め込み金具１の固定部２が支柱２５の長手方向に沿って挿入されている。この支柱２５は、図５に示すように、埋め込み金具１の固定部２と同様の形状である四角柱の形状をなしており、支柱２５内は中空になっている。そして、支柱２５は、埋め込み金具１の固定部２の外周を覆うことが可能な形状をなしている。支柱２５の内部２５ｈには、図５に示すように、タッピングホール２５ａが設けられている。
【００３８】
タッピングホール２５ａは、支柱２５の各面部２５ｂ、２５ｃ、２５ｃの断面方向二箇所に設けられている。このタッピングホール２５ａは、支柱２５の長手方向に沿って支柱２５の他方の端部２５ｅまで設けられている。そして、タッピングホール２５ａは、図５に示すように、支柱２５の内部２５ｈに埋め込み金具１の固定部２が挿入されたときに埋め込み金具１の固定部２に近接するように、支柱２５の内部２５ｈの中心方向に向かって延びている。
【００３９】
このように、タッピングホール２５ａを支柱２５の各面部２５ｂ、２５ｃ、２５ｃの断面方向二箇所に設けることで、埋め込み金具１の固定部２を支柱２５の内部２５ｈへ挿入したときに、埋め込み金具１の固定部２が支柱２５の内部２５ｈで保持されることになる。
【００４０】
また、図５に示すように、支柱２５の外側面である面部２５ｂの孔部２３より仮止め用のねじ１６を挿通し、スライド部５を横断して、調整板１２に設けた孔部１４とを螺合して支柱２５と調整板１２との連結を行い、支柱２５及び調整板１２を埋め込み金具１の固定部２（スライド部５）に仮固定することになる。このとき、仮止めした波線で示すねじ１６と孔部１４との螺合を緩めることで、連結された支柱２５と調整板１２との連結を緩めて、図６に示すように、例えば、矢印Ｅ方向に沿って、波線で示すねじ１６の位置から実線で示すねじ１６の位置まで、連結された支柱２５と調整板１２とを固定部２の開口部２ｃの長手方向に沿って移動することができる。
【００４１】
支柱２５の移動に際しては、支柱２５の内側面２５ｊが開口部２ｃのある固定部２の面部６に沿って移動することになる。本例では、支柱２５の内側面２５ｊが突出部６ａの開口部２ｃの端面６ｃを移動することになる。また、調整板１２の移動に際しては、調整板１２は開口部２ｃ側の側面（面部６の裏面側）６ｂを移動することになる。そして、固定部２の開口部２ｃの長手方向の目的とする位置で、実線で示すねじ１６と孔部１４との螺合を締めることで、連結された支柱２５と調整板１２との連結を締めて、連結された支柱２５と調整板１２とを固定部２の開口部２ｃの長手方向において仮固定することになる。なお、ねじ１６と孔部１４とを螺合したときに、板状部材９の板状部分９ｂが略コ字状の形状をなしているので、ねじ先端部１６ｂと板状部材９（板状部分９ｂ）とが接触することはない。
【００４２】
また、図６では、矢印Ｅ方向に支柱２５と調整板１２とを移動したために、固定部２の一方の端部２ａより調整板１２の一部が突出している。ここでは、矢印Ｅ方向へ支柱２５と調整板１２とを移動したが、当然に、矢印Ｅ方向とは反対方向である矢印Ｆ方向へも移動することができ、その場合には調整板１２は固定部２の一方の端部２ａより固定部２内に入り込んだ状態になる。
【００４３】
また、支柱２５の一方の端部２５ｆには、笠木２８を取り付けるためのタッピングホール２５ａが設けられている。そして、笠木２８の端面部２８ａに設けられた、タッピングホール２５ａに対応する孔部２８ｂにねじ２７を通して、タッピングホール２５ａに螺合することにより、笠木２８を支柱２５の一方の端部２５ｆに固定している。本例においては、上弦材２２が笠木２８に組み込まれる構造を採っており、笠木２８と上弦材２２とが組込部３１、３２で噛み合い、笠木２８と上弦材２２とが一体化されている。
【００４４】
また、支柱２５の他方の端部２５ｅ側近傍には、ブラケット３４が取り付けられている。ブラケット３４は、略Ｔ字状の形状をなしており、端面３４ａを支柱２５の面部２５ｄに当接した状態になっている。そして、ブラケット３４は、図４に示すように、ねじ３５を用いて支柱２５の他方の端部２５ｅ側近傍の面部２５ｄに取り付けられている。ブラケット３４内には、下弦材２４が組み込まれており、ねじ３６により、下弦材２４はブラケット３４に固定されている。
【００４５】
この上弦材２２と下弦材２４との間にはパネル２６が組み込まれている。本例においては、パネル２６を用いているが、パネル２６に限定されることなく、格子を組み込む場合であってもよく、さらに、パネルと格子をミックスしたような場合等であってもよい。また、本例においては、笠木２８に上弦材２２を組み込み、ブラケット２４に下弦材２４を組み込んでいるが、このような構成に限定されるものではなく、パネル２６等を保持できる構成であればよい。
【００４６】
さらに、支柱２５の他方の端部２５ｅ側近傍には孔部２５ｉが設けられている。図４、図７に示すように、孔部２５ｉは支柱２５の面部２５ｃに設けられており、この孔部２５ｉには、固定用のねじ２９を通すことになっており、この固定用のねじ２９を通すことで支柱２５が埋め込み金具１に固定されることになる。
【００４７】
具体的には、埋め込み金具１の固定部２に支柱２５を仮止め用のねじ１６で仮止めしておいた状態で、図７に示すように、二本の固定用のねじ２９をそれぞれ面部２５ｃの孔部２５ｉに組み込み、固定用のねじ２９の先端２９ｂを固定部２の面部８へ到達させる。そして、固定用のねじ２９の頭部２９ａが支柱２５の面部２５ｃに接触するまで二本の固定用のねじ２９をそれぞ孔部２５ｉに締め込んで、固定用のねじ２９の先端２９ｂが固定部２の面部８を貫通する。その結果、固定用のねじ２９により、支柱２５と埋め込み金具１の固定部２とが固定されることになる。
【００４８】
また、支柱２５の他方の端部２５ｅ側近傍では、図４に示すように、カバー３０が取り付けられることになる。カバー３０は、マンションやビルの屋上やバルコニーである躯体５０から埋め込み金具１の固定部２の他方の端部２ｂ側及び支柱２５の他方の端部２５ｅ側を覆うことになる。このようなカバー３０を取り付けることで、手摺２０から躯体５０への雨水等の侵入を防ぐことが可能になる。また、カバー３０を取り付けることで埋め込み金具１の固定部２の他方の端部２ｂ（支柱２５の他方の端部２５ｅ）と躯体との隙間をなくすことで、埋め込み金具１が外部より見えなくなり手摺全体の見栄えの向上を図ることが可能になる。
【００４９】
以上の構成の手摺２０をマンションやビルの屋上やバルコニーである躯体５０に取り付けることになる。その際、マンションやビルの屋上やバルコニー（躯体５０）に、予め手摺２０の埋め込み金具１の埋め込み部３を埋め込むための穴部を複数設けておく。そして、手摺２０の埋め込み金具１の埋め込み部３をその穴部に挿入して組み込み、接着剤等を穴部に流し込み埋め込み金具１の埋め込み部３を固定することで、マンションやビルの屋上やバルコニー（躯体５０）に複数のパネル２６を備えた手摺２０を取り付けることになる。このとき、支柱２５の外側面である面部２５ｂに設けられた孔部２３よりねじ１６を挿通し、埋め込み金具１の固定部２のスライド部５内の調整板１２の孔部１４に螺合して支柱２５と調整板１４とを予め仮止めしておく。
【００５０】
本例では、以上のように手摺２０をマンションやビルの屋上やバルコニー（躯体５０）に取り付けているが、特に、このように支柱２５にパネル２６を取り付けた状態でマンションやビルの屋上やバルコニー（躯体５０）に取り付けるということに限定されるものではない。例えば、マンションやビルの屋上やバルコニー（躯体５０）に設けた複数の穴部に埋め込み金具１の埋め込み部３を埋め込み、支柱２５に埋め込み金具１の固定部２を挿入して笠木２８及びパネル２６等を取り付けていくような場合であってもよい。
【００５１】
以上のように、マンションやビルの屋上やバルコニー（躯体５０）に手摺２０を取り付けると、バルコニーは新築のものでも水平になっていないことが多く、手摺２０の上部である笠木２８に凹凸が生じた状態になり易い。図８では、具体的に、凹凸があるバルコニーに手摺２０を取り付けた場合に、手摺２０がどのような状態になるか示してある。
【００５２】
図８では、バルコニーの凹凸が手摺２０の笠木２８に影響を与えるのか明確にするために、パネル２６、笠木２８を省き、笠木が取り付けられる支柱２５及び埋め込み金具１だけを示してある。波線ｈは、手摺２０の取り付けが完了したときの笠木２８を取り付ける支柱２５の先端の高さである。また、波線ｈは、本例では、バルコニーのＦＬ（フロアライン）から手摺の先端（笠木２８の先端）まで、例えば、１２００ｍｍで施工する場合のバルコニーのＦＬ（フロアライン）から支柱２５の先端の高さを示している。
【００５３】
本例では、説明の便宜のため４本の支柱Ａ２５、支柱Ｂ２５、支柱Ｃ２５、及び支柱Ｄ２５を用いて本発明の埋め込み金具１の使用状況について説明する。支柱Ａ２５は、波線ｈより高いため、仮止め用のねじ１６を緩め、支柱Ａ２５と調整板１２とをバルコニー側（下方向）へ移動する。このとき、支柱Ａ２５と調整板１２とはスライド部５に沿って移動する。
【００５４】
具体的には、支柱Ａ２５の内側面２５ｊが開口部２ｃの端面６ｃに沿って移動し、調整板１２がスライド部５内の開口部２ｃ側の側面６ｂに沿って移動する。支柱Ａ２５と調整板１２とは仮止め用のねじ１６より連結されているために、支柱Ａ２５と調整板１２と同じ方向へ移動する。そして、支柱Ａ２５の端部を、図９に示すように、波線ｈの高さに合わせ、仮止め用のねじ１６を締めて、支柱Ａ２５と調整板１２とを埋め込み金具１の固定部２（スライド部５）に仮固定する。
【００５５】
支柱Ｂは、波線ｈより低いため、仮止め用のねじ１６を緩め、調整板１２をバルコニー側と反対側（上方向）へ移動する。支柱Ｂと調整板１２とをスライド部５に沿って移動する。支柱Ｂ２５の内側面２５ｊが開口部２ｃの端面６ｃに沿って移動し、調整板１２がスライド部５内の開口部２ｃ側の側面６ｂに沿って移動する。支柱Ｂ２５と調整板１２とは仮止め用のねじ１６より連結されているために、支柱Ｂ２５と調整板１２と同じ方向へ移動する。そして、支柱Ｂ２５の端部を、図９に示すように、波線ｈの高さに合わせ、仮止め用のねじ１６締めて、支柱Ｂ２５と調整板１２とを埋め込み金具１の固定部２（スライド部５）に仮固定する。
【００５６】
支柱Ｃ２５は、支柱Ａ２５と同様に、波線ｈより高いため、仮止め用のねじ１６を緩め、支柱Ｃと調整板１２とを下方向へ移動し、支柱Ｃ２５の端部を、図９に示すように、波線ｈの高さに合わせ、仮止め用のねじ１６締めて、支柱Ｃ２５と調整板１２と埋め込み金具１の固定部２（スライド部５）に仮固定する。また、支柱Ｄ２５は、支柱Ｂ２５と同様に、波線ｈより低いため、仮止め用のねじ１６を緩め、支柱Ｄと調整板１２とを上方向へ移動し、支柱Ｄ２５の端部を、図９に示すように、波線ｈの高さに合わせ、仮止め用のねじ１６締めて、支柱Ｄ２５と調整板１２とを埋め込み金具１の固定部２（スライド部５）に仮固定する。
【００５７】
そして、図７に示すように、仮固定された支柱Ａ２５、支柱Ｂ２５、支柱Ｃ２５、及び支柱Ｄ２５の孔部２５ｉ、２５ｉに固定用のねじ２９を組み込み埋め込み金具１の固定部２を貫通し、支柱Ａ２５、支柱Ｂ２５、支柱Ｃ２５、及び支柱Ｄ２５を埋め込み金具１に固定する。
【００５８】
以上のようにして、支柱Ａ２５、支柱Ｂ２５、支柱Ｃ２５、及び支柱Ｄの端部である笠木２８が取り付けられる位置が、図９に示すように、水平方向に同じ高さで並ぶ。その結果、図１０に示すように、バルコニーに凹凸がある場合にも、手摺２０の笠木２８が傾くことなく水平方向に一直線に延びた状態にすることが可能になる。
【００５９】
また、埋め込み金具１の固定部２の他方の端部２ｂ側及び支柱２５の他方の端部２５ｅ側と躯体５０との隙間を覆うカバー３０が設けられているため、手摺２０から躯体５０への雨水等の侵入を防ぐことができるとともに、埋め込み金具１が外部より見えなくなるので手摺の外観の見栄えをよくすることができる。
【図面の簡単な説明】
【００６０】
【図１】本発明である埋め込み金具の説明図である。（ａ）は、埋め込み金具の正面図である。（ｂ）は、図１（ａ）のＸ−Ｘ線に沿う断面図である。
【図２】埋め込み金具の固定部に挿入される調整板の正面図である。
【図３】埋め込み金具の固定部に調整板を挿入した説明図である。（ａ）は、埋め込み金具の固定部に調整板を挿入した状態を示す正面図である。（ｂ）は、図３（ａ）のＵ−Ｕ線に沿う断面図である。
【図４】本発明である埋め込み金具を用いた手摺を躯体であるバルコニーに取り付けた状態を示す説明図である。
【図５】図４のＺ−Ｚ線に沿う断面図である。
【図６】連結された支柱と調整板の埋め込み金具との固定部の長手方向の移動を示す説明図である。
【図７】図４のＹ−Ｙ線に沿う断面図である。
【図８】バルコニーに取り付けた手摺の支柱と埋め込み金具の状態を示す説明図である。
【図９】バルコニーに取り付けた手摺の支柱の高さを調整した状態を示す説明図である。
【図１０】バルコニーに取り付けた手摺の高さが調整されて水平方向に一直線になった状態を示す説明図である。
【図１１】従来の手摺支柱の固定構造を示す手摺の要部の分解斜視図である。
【符号の説明】
【００６１】
１…埋め込み金具、２…固定部、２ａ、２ｂ…端部、２ｃ…開口部、３…埋め込み部、４…底板、５…スライド部、６、８…面部、６ａ…突出部、６ｂ…側面、６ｃ…端面、７…中空部、９…板状部材、９ａ、９ｂ…板状部分、１２…調整板、１４…孔部、１６…ねじ、２０…手摺、２２…上弦材、２３…孔部、２４…下弦材、２５…支柱、２５ａ…タッピングホール、２５ｂ、２５ｃ、２５ｄ…面部、２５ｅ、２５ｆ…端部、２５ｈ…内部、２５ｉ…孔部、２５ｊ…内側面、２６…パネル、２８…笠木、２９…ねじ、３０…カバー、５０…躯体（マンションやビルの屋上やバルコニー）
【図１】
0004750572.tif 000002
【図２】
0004750572.tif 000003
【図３】
0004750572.tif 000004
【図４】
0004750572.tif 000005
【図５】
0004750572.tif 000006
【図６】
0004750572.tif 000007
【図７】
0004750572.tif 000008
【図８】
0004750572.tif 000009
【図９】
0004750572.tif 000010
【図１０】
0004750572.tif 000011
【図１１】
0004750572.tif 000012